(57)【要約】【課題】中間支持部の左右に刃板を配置して、二種類の機能を発揮する利器であり、それぞれの刃板を安全に利用できる鞘の固定構造を提供する。【解決手段】中間支持部２から左右両側に刃板1A、1Bを突出させ、それぞれの刃板に鞘3A、3Bを装着する。中間支持部２に向けて装着する鞘の先端部には、中間支持部に挿入する係止片５を突出させ、係止片５の先端に形成した係止爪６を中間支持部の挿入孔内に係止させる。中間支持部の挿入孔内には、係止片５と刃板1A、1Bの間に移動可能なロックピンを配置し、一方の鞘を取り外したときにロックピンの一部が他方の鞘の係止片と刃板の間に移動し、鞘をロック状態とする。これにより、一方の刃板に装着された鞘を取り外し、他方の刃板に装着された鞘を把持部として使用する。【選択図】  図２
2012029970.tif 000002
【特許請求の範囲】
【請求項１】
中間支持部から左右両側に刃板を突出させ、中間支持部の左右両側に突出させた刃板にそれぞれ鞘を装着する利器において、
中間支持部に向けて装着する鞘の先端部に、中間支持部の挿入孔に挿入する係止片を突出させ、該係止片の先端に外側面方向に向けて係止爪を突出形成し、該係止爪を中間支持部の挿入孔内に形成した係合段部に係止させ、
鞘の先端部には係止片の幅の両側縁延長方向に一対の切り込みを設け、切り込みに挟まれた鞘先端部を面方向に押圧して係止片を弾性的に撓ませることによって鞘を中間支持部に対して着脱自在とするとともに、
中間支持部の挿入孔内において、係止片と刃板の間に移動可能なロックピンを配置し、左右いずれか一方の鞘を取り外したときにロックピンのロック部が他方の鞘の係止片と刃板の間に移動し、係止片の撓みを阻止することによって係止爪が中間支持部の係合段部に係合した状態にロックされるようにしたことを特徴とする利器における鞘の固定構造。
【請求項２】
中間支持部は、対称的に形成した一対の二つ割の支持部材によって形成し、該一対の支持部材で刃板を挟み込んでビス止めすることによって刃板と中間支持部を固定し、
二つ割の支持部材には、刃板との対向面に一定深さの切除部を設けることによって刃板との間に鞘の係止片を挿入することができる挿入孔を形成し、
前記切除部の中央領域に一定深さの凹所を形成し、該凹所の両側を係合段部とするとともに、
凹所の中間位置に刃板との間にロックピンの扁平なロック部が通過する隙間を保持し、刃板の幅方向に相当する凹所の一端から他端に向けて中間位置にまで達する中央壁を形成し、
ロックピンは、一面を刃板に面する平面とし、中央壁の厚みと等しい幅であって刃板と中央壁の間を通過し、刃板と係止片の間に移動できる扁平なロック部と、鞘の係止片の先端で押されるとともに挿入孔内に配置したバネの弾発力によってロック部を係止片と刃板の間に向けて移動させるガイド部と、二つ割の支持部材の凹所に係合しロックピン全体の妄動を防止する移動制限部とより形成し、
一方の鞘を取り外すことによってバネの弾性によってロックピンのロック部を他方の鞘の係止片の下方に移動させるようにしたことを特徴とする請求項１記載の利器における鞘の固定構造。
【発明の詳細な説明】
【技術分野】
【０００１】
この発明は、例えば鋸とナイフといった二種類の機能を備えた利器に関し、より詳しくは、中間支持部の左右両側に突出させた刃板のそれぞれに装着する鞘の固定構造に係る発明である。
【背景技術】
【０００２】
一つの利器で、鋸とナイフの二つの機能を果たすものとして、特許文献１には、刃板の一方の側縁にナイフ状の刃を、他方の側縁に鋸状刃を形成し、刃板の一端に柄部を装着したカッターが提案されている。特許文献２には、引き回し鋸の先端にキリ先を形成し、鋸刃とキリ先の間にナイフ刃を設ける構造が開示されている。
【先行技術文献】
【特許文献】
【０００３】
【特許文献１】実開平１−９２９７７号公報
【特許文献２】実開平６−５７６０２号公報
【発明の概要】
【発明が解決しようとする課題】
【０００４】
特許文献１や２に記載された公知技術は、一つの刃板の異なる位置に鋸刃やナイフ刃を形成したものであって、一つの刃板全体を一つの機能を果たす利器として利用するものではない。そのため、ナイフもしくは鋸として利用できる部分が少なく、鋸としてあるいはナイフとして十分に機能させることができない欠点がある。また、ナイフとして利用する場合に鋸刃が、鋸として利用する場合にナイフ刃が邪魔になる可能性もある。
【０００５】
上記、従来技術の欠点に鑑み本発明は、中間支持部から左右両側に刃板を突出させ、突出させた刃板にそれぞれ鞘を装着する利器であって、一方の鞘を取除いたときに、他方の鞘を把持柄として利用することによって、刃板全体の長さを有効に利用することができるコンパクトな利器を実現する。さらに、把持柄として利用する鞘が中間支持部に確実に係止されて外れる虞がなく、鞘を把持柄として安全に機能させる構造を実現することを目的とするものである。
【課題を解決するための手段】
【０００６】
上記目的を達成する、本発明に係る利器は、中間支持部２から左右両側に刃板1A、1Bを突出させ、中間支持部２の左右両側に突出させた刃板1A、1Bにそれぞれ鞘3A、3Bを装着するものである。
中間支持部２に向けて装着する鞘3A、3Bの先端部には、中間支持部２の挿入孔４に挿入する係止片５、５を突出させ、係止片５、５の先端に外側面方向に向けて係止爪６、６を突出形成している。この係止爪６、６は、中間支持部２の挿入孔４内に形成した係合段部７に係止させる。
【０００７】
鞘3A、3Bの先端部には、係止片５の幅の両側縁延長方向に一対の切り込み８、８を設け、切り込み８、８に挟まれた鞘先端部９を面方向に押圧して係止片５を弾性的に撓ませることによって、鞘3A、3Bを中間支持部に対して着脱自在とする。
さらに、中間支持部２の挿入孔４内において、係止片５と刃板１の間に移動可能なロックピン10を配置し、左右いずれか一方の鞘3A又は3Bを取り外したときにロックピンのロック部11が他方の鞘3B又は3Aの係止片５と刃板１の間に移動し、係止片５の撓みを阻止することによって係止爪６が中間支持部２の係合段部７に係合した状態にロックされるようにする。
【０００８】
請求項２記載の発明は、請求項１に記載の発明を実施する具体的な構造に係るものである。
中間支持部２は、対称的に形成した一対の二つ割の支持部材12、12によって形成し、この一対の支持部材12、12で刃板１を挟み込んでビス13止めすることによって刃板１と中間支持部２を固定する。二つ割の支持部材12、12には、刃板１との対向面に一定深さＸの切除部14を設けることによって刃板１との間に鞘3A、3Bの係止片５を挿入することができる挿入孔４を形成する。
【０００９】
前記、支持部材12の切除部14の中央領域に一定深さの凹所15を形成し、該凹所15の両側を係合段部７、７とする。凹所15の中間位置には、刃板１との間にロックピン10の扁平なロック部11が通過する隙間を保持し、刃板１の幅方向に相当する凹所15の一端から他端に向けて中間位置にまで達する中央壁16を形成する。
【００１０】
ロックピン10は、一面を刃板１に面する平面とし、中央壁16の厚みｔと等しい幅Ｗであって刃板１と中央壁16の間を通過し、刃板１と係止片５の間に移動できる扁平なロック部11と、鞘3A、3Bの係止片５の先端で押されるとともに、挿入孔内に配置したバネ17の弾発力によってロック部11を係止片５と刃板１の間に向けて移動させるガイド部18と、二つ割の支持部材12の凹所15に係合しロックピン10全体の妄動を防止する移動制限部19とより形成する。
これにより、一方の鞘3A又は3Bを取り外すことによってバネ17の弾性によってロックピン10のロック部11を、他方の鞘3B又は3Aの係止片５の下方に移動させる。
【発明の効果】
【００１１】
請求項１記載の発明によれば、中間支持部２から左右両側に突出させた刃板1A、1Bのいずれか任意の一方の刃板1A又は1Bを利器として使用する際に、いずれか他方の刃板1B又は1Aに装着した鞘3B又は3Aを把持柄として安全に使用することができる。このとき、他方の刃板1B又は1Aに装着している鞘3B又は3Aは、中間支持部２に対してロック状態を維持しているため脱落の虞がなく、安心して把持部として使用することができる。このように、二種類の機能を備えた刃板のうち一方の刃板の鞘を把持柄として活用するため、利器の全長を有効に活用し全体としてコンパクトに纏めることができる。
【００１２】
請求項２記載の発明によれば、一つの刃板１の中間位置を支持部材12、12によって挟み込んでビス13止めすることによって、中間支持部２から左右両側に刃板1A及び1Bが突出する利器を、簡単な構造であって容易に組み立てるものとして実現することができる。そして、バネ17によって付勢されるロックピン10を使用し、一方の鞘3A又は3Bを取り外した場合に、他方の鞘3B又は3Aの係止片５と刃板１との間に、自動的にロックピン10のロック部11が移動するため、一方の鞘を取り外したときに、他方の鞘が必ずロックされた状態を比較的簡単な構造で実現する。したがって、鞘を把持柄として利用する安全性の高い利器を容易に実現することができる。
【図面の簡単な説明】
【００１３】
【図１】図１は、本発明に係る利器の正面図、
【図２】図２（ａ）は図１の利器において右側の鞘を、図２（ｂ）は図１の利器において左側の鞘を取り外した状態の正面図、
【図３】図３は、図１のIII−III線中央部の拡大断面図、
【図４】図４は、図３のIV−IV線断面図、
【図５】図５は、図２（ｂ）のV−V線拡大断面図、
【図６】図６は、図２（ａ）のVI−VI線拡大断面図、
【図７】図７は、支持部材の斜視図、
【図８】図８は、ロックピンの斜視図及び拡大縦断面図、
【図９】図９は、支持部材にロックピン及びバネを配置した状態の平面図、
【図１０】図１０は、支持部材にロックピン及びバネを配置し、ロックピンの移動制限部の位置で切断した断面図、
【図１１】図１１は、右側の鞘を取り外したときのロックピンの移動状態を示す略図、
【図１２】図１２は、左側の鞘を取り外したときのロックピンの移動状態を示す略図である。
【発明を実施するための形態】
【００１４】
以下、本発明に係る利器における鞘の固定構造の実施形態を添付の図面に基づいて説明する。
図１は、本発明に係る利器であって、左右の鞘を装着した状態の正面図、図２は、図１の状態からいずれか一方の鞘を取り外した状態の正面図である。
【００１５】
本発明の実施形態に係る利器は、図１において略三角形に現れる中間支持部２の左右両側に、刃板1A、1Bを突出させ、刃板1A、1Bにそれぞれ鞘3A、3Bを装着している。刃板1A、1Bは、独立した二つの刃板を中間支持部に装着するものであってもよいが、図示実施形態では、一つの刃板１の左右両側にそれぞれ利器として機能する刃部を形成し、刃板１の中間部分に中間支持部２を装着することによって、中間支持部２の左右両側に刃板1A及び1Bが突出する利器を実現している。
【００１６】
中間支持部２の左右両側に突出させる刃板1A、1Bには、それぞれ機能が異なる刃部を形成することができる。図示実施形態では、図２に示すように右側にナイフ刃、左側に鋸刃を形成しているが、それ以外の機能を有する利器の組み合わせ、例えば鋸刃同士であって目の粗さの異なる組み合わせや、形状の異なるナイフ刃、あるいは同じ機能の刃板であって、それぞれを任意に使用することができる利器として実施することもできる。
【００１７】
図３ないし図６から理解されるように、刃板1A、1Bの先端から中間支持部２に向けて装着する鞘3A、3Bの先端部には、刃板の両側面に面する側面に、中間支持部の挿入孔４、４に挿入する係止片５、５を突出させ、係止片５、５の先端に外側面方向に向けて突出形成した係止爪６、６を、中間支持部２の挿入孔４内に形成した係合段部７、７に係止させ、鞘3A、3Bの装着状態を維持すようにしている。
鞘3A、3Bの先端部には、係止片５の幅の両側縁の延長方向に、一対の切り込み８、８を設け、切り込み８、８に挟まれた鞘先端部９を、両面から面方向に押圧して係止片６を弾性的に撓ませることによって鞘3A及び3Bを中間支持部２に対して着脱自在とする。
【００１８】
中間支持部２の挿入孔４内には、係止片５と刃板１の間に移動可能なロックピン10を配置し、左右いずれか一方の鞘3A又は3Bを取り外したときにロックピン10のロック部11が他方の鞘3B又は3Aの係止片５と刃板１の間に移動し、係止片５の撓みを阻止することによって係止爪６が中間支持部２の係合段部７に係合した状態にロックされるようにする。これにより、一方の鞘を取り外して刃板が露出する状態では、他方の鞘がロック状態であるため把持柄として安心して使用することができる。
【００１９】
図面上、略三角形に形成されている中間支持部２は、図４に示すように対称的に形成した一対の二つ割の支持部材12、12によって刃板１を挟み込んで、ビス13,13で刃板１と支持部材12、12（中間支持部２）を固定する構成としている。図７は、一対の支持部材の一方を示し、図７と対称的に形成した支持部材によって一対の中間支持部を形成する。図７に示す実施形態では、支持部材12の三箇所にビス止めのためのビス孔20が設けられ、三本のビス13によってビス止めしている。
【００２０】
一対の支持部材12、12のそれぞれには、ビス13によって固定される刃板１の支持面21に対して一定の深さＸである切除部14を設けている。これにより、図５に示すように刃板１との間に鞘3A、3Bの係止片５を挿入することができる挿入孔４が刃板１の表裏両面に形成される。
さらに支持部材12には図７に示すように、前記切除部14の中央領域に、図面上方形に現れる一定深さの凹所15を形成し、この凹所15の両側縁部分を係合段部７、７としている。また、凹所15の中間位置には、装着する刃板１の幅方向に、一端から他端に向けて中間位置にまで達する中央壁16を形成している。中央壁16の高さは、装着する刃板１との間にロックピン10の扁平なロック部11が通過する隙間を保持できる高さとし、中央壁16の厚みｔをロックピン10のロック部11の幅Ｗとほぼ等しいものとしている。
【００２１】
ロックピン10は、図８に示すように、一面を刃板１に面する平面とし、中央壁16の厚みｔとほぼ等しい幅Ｗであって、刃板１と中央壁16の間を通過して刃板１と係止片５の間に移動できる扁平なロック部11と、厚みが切除部の深さＸよりも僅かに薄い、平面形状を略菱形としたガイド部18と、略方形であってガイド部18から突出して凹所15に係合することによって、ロックピン10の妄動を防止する移動制限部19とより形成している。  すなわち、略菱形のガイド部18の外側面は緩い傾斜の山形に、内側面はやや急角度の山形に形成し、内側面の山形の頂点部分に幅Ｗのロック部11を突出形成している。
【００２２】
略三角形である一対の支持部材12、12のそれぞれの内部には、図９、図10に示すように切除部14の長辺（図９の上辺）に沿って山形に形成したバネ17を配置している。そして、バネ17の山形の頂点をロックピン10のガイド部18の外側面に当接させることによって、ロックピン10をバネ17の対向方向に付勢する状態で、刃板１を挟み込み、ビス13によって一体的に組み立てる。このとき、図10に示すように、ロックピン10の移動制限部19が支持部材12の凹所15に係合するとともに、凹所15内の中央壁16がロックピン10の移動を制限することによって、図９において実線で示す傾き位置と、二点差線で示す傾き位置の間を移動可能としている。なお、ロックピン10のガイド部18の内側面には、挿入孔４に挿入した鞘3A、3Bの係止片５先端部分が当接するように形成している。
【００２３】
図１に示す、刃板1A、1Bに示す鞘3A、3Bを装着した状態では、図３に示すように、中間支持部２の左右両側から挿入孔４内に係止片５が挿入され、係止爪６、６が係合段部７、７に係合して鞘の装着状態が維持されている。この状態では、図３、図４に示すように、ロックピン10のロック部11が支持部材12の中央壁16の位置にあって、図３に示すように、係止片５と刃板１の間には隙間が存在する。したがって、切り込み８、８に挟まれた鞘3Aの鞘先端部９を、手指で挟むように両側から押圧すると、図３に点線で示すように係止片５が刃板方向に撓む。そのため、係止爪６の係合段部７との係合が外れ、鞘3Aを取り外すことができる。図３に示す状態では、鞘3Aに限らず鞘3Aもしくは3Bのいずれをも取り外すことができる。
【００２４】
一方の鞘3Aを取り外した状態では、図12に示すようにバネ17によってロックピン10が図面上の下方に押し出されるとともに、鞘3Bの係止片５先端部がロックピン10のガイド部18右辺に当接しているため、ロックピン10が左回動方向に傾いてロック部11が右側の鞘3Bの係止片５の下に移動する。この状態では、図５に示すように、ロックピン10のロック部11が、係止片５と刃板１の間に存在しているために鞘1Bの係止片５を撓ませて鞘1Bを取り外すことがでない。したがって、図２（ｂ）に示す状態では、図面上鋸である刃板1Aを露出させた利器として、すなわち手挽き鋸であって、鞘3Bを把持柄として使用することができる。
【００２５】
前記場合と同じように、図面上右方の鞘3Bを取り外した場合は、鞘3Aを取り外した場合とは対称的な動きをし、図６、図11に示すようにロックピン10のロック部11が、鞘3Aの係止片５と刃板１の下方に移動し、鞘3Aを取り外すことができなくなる。そのため、図２（ａ）に示す状態では、図面上ナイフである刃板1Bを露出させた利器、すなわちナイフであって、鞘3Aを把持柄として使用することができる。
【００２６】
以上述べた本発明の実施形態では、刃板1A、1Bとして鋸刃板とナイフ刃の刃板を形成する場合を例示したが、例えば罫書き刃やスクレーパなど任意の利器の組み合わせとすることができる。また、一体の刃板１の左右両側にそれぞれ刃部を形成しているが、中間支持部に対して、独立した刃板1A、1Bを装着するものであってもよい。また、鞘の左右両側面にロック機能を備えた係止片５を形成し、刃板１の表裏両面において係止及びロック作用を行うことによってバランスの良い使い勝手に優れたものとしているが、片面にのみ係止片及びロックピンを配置し、鞘の片面においてのみ係止及びロック作用を行うものとして実施することもできる。
【符号の説明】
【００２７】
１…刃板、  1A、1B…刃板、  ２…中間支持部、  3A、3B…鞘、  ４…挿入孔、５…係止片、  ６…係止爪、  ７…係合段部、  ８…切り込み、  ９…鞘先端部、  10…ロックピン、  11…ロック部、  12…支持部材、  13…ビス、  14…切除部、  15…凹所、  16…中央壁、  17…バネ、  18…ガイド部、  19…移動制限部、  20…ビス孔、  21…支持面。
【図１】
2012029970.tif 000003
【図２】
2012029970.tif 000004
【図３】
2012029970.tif 000005
【図４】
2012029970.tif 000006
【図５】
2012029970.tif 000007
【図６】
2012029970.tif 000008
【図７】
2012029970.tif 000009
【図８】
2012029970.tif 000010
【図９】
2012029970.tif 000011
【図１０】
2012029970.tif 000012
【図１１】
2012029970.tif 000013
【図１２】
2012029970.tif 000014